(57)【要約】 【課題】  維持放電の放電開始電圧を低下させることが出来るとともに高い発光効率を得ることが出来るプラズマディスプレイパネルを提供する。【解決手段】  放電空間Ｓ１を介して背面ガラス基板１２に対向する前面ガラス基板１０側に誘電体層１１によって被覆された行電極対（Ｘ１，Ｙ１）が形成され、放電空間Ｓ１の行電極対（Ｘ１，Ｙ１）と列電極Ｄ１との交差部分に構成される放電セルＣ１内において放電ギャップｇ１を挟んで対向される透明電極Ｘ１ａとＹ１ａ間で維持放電が発生されることによって表示画像の形成が行われるＰＤＰにおいて、放電セルＣ１内の放電ギャップｇ１に対向する位置で誘電体層１１から隙間ｍを挟んで離間した位置に、絶縁性の梁が配置されている。【選択図】    図４
2005108791.tif 000002
【特許請求の範囲】
【請求項１】
放電空間を挟んで一対の基板が対向され、一方の基板の内面側に行方向に延び列方向に並設されて放電ギャップを介して対向される行電極によって構成される複数の行電極対とこの行電極対を被覆する誘電体層が設けられ、他方の基板の内面側に蛍光体層が設けられ、何れかの基板の行電極対と離間した位置に列方向に延び行方向に並設されて行電極対と交差する部分の放電空間にそれぞれ単位発光領域を構成する複数の列電極が設けられ、一対の基板の間に放電空間を単位発光領域毎に区画する隔壁が設けられているプラズマディスプレイパネルにおいて、
前記単位発光領域内の放電ギャップに対向するとともに誘電体層との間に所定の間隙を開けた位置に、放電経路延長部材が配置されていることを特徴とするプラズマディスプレイパネル。
【請求項２】
前記放電経路延長部材が、行電極間の放電ギャップに対向する位置において単位発光領域内を行方向に梁状に延びる絶縁部材によって構成されている請求項１に記載のプラズマディスプレイパネル。
【請求項３】
前記放電経路延長部材が、行電極間の放電ギャップに対向する位置において隔壁の列方向に延びる縦壁間に掛け渡された梁部材によって構成されている請求項１に記載のプラズマディスプレイパネル。
【請求項４】
前記一対の基板の他方の基板側に形成されて単位発光領域を区画する第１隔壁に第２隔壁が重ねて形成され、梁部材が第２隔壁の列方向に延びる縦壁間に掛け渡されている請求項３に記載のプラズマディスプレイパネル。
【請求項５】
前記第２隔壁が、単位発光領域の周縁部に沿って列方向に延びる縦壁と行方向に延びる横壁とによって形成され、梁部材が、第２隔壁の二本の横壁の間の位置においてこの横壁と平行に縦壁間に掛け渡されている請求項４に記載のプラズマディスプレイパネル。
【請求項６】
前記誘電体層の他方の基板側に対向する面に、列方向において隣接する単位発光領域の境界部分に沿って行方向に延びるとともに他方の基板側に突出する嵩上げ部が形成され、この嵩上げ部に第２隔壁の横壁が当接されることによって放電経路延長部材である梁部材と誘電体層との間に所定の間隙が形成されている請求項５に記載のプラズマディスプレイパネル。
【請求項７】
前記誘電体層の他方の基板側に対向する側の行電極間の放電ギャップに対向する部分に一方の基板側に窪む凹所が形成されていて、この凹所によって誘電体層と放電経路延長部材との間に所定の間隙が形成されている請求項１に記載のプラズマディスプレイパネル。
【請求項８】
前記梁部材の誘電体層に対向する部分が、第２隔壁の誘電体層に対向する他の部分よりも他方の基板側に後退した位置に位置されていることによって、誘電体層と放電経路延長部材である梁部材との間に所定の間隙が形成されている請求項４に記載のプラズマディスプレイパネル。
【請求項９】
前記放電経路延長部材が、セラミックまたはガラス材料によって形成されている請求項１に記載のプラズマディスプレイパネル。
【請求項１０】
前記放電経路延長部材が、金属基材の表面が絶縁材によって被覆されることによって構成されている請求項１に記載のプラズマディスプレイパネル。
【請求項１１】
前記放電経路延長部材のパネルの表示側の基板に対向する部分に光吸収層が形成されている請求項１に記載のプラズマディスプレイパネル。
【請求項１２】
前記放電経路延長部材の少なくともパネルの表示側と反対側の部分に光反射層が形成されている請求項１に記載のプラズマディスプレイパネル。
【請求項１３】
前記放電経路延長部材の表面の少なくとも一部に蛍光体層が形成されている請求項１に記載のプラズマディスプレイパネル。
【請求項１４】
前記放電経路延長部材の表面の少なくとも一部に真空紫外線によって励起されて紫外線を放射し続ける残光特性を有する紫外域発光層が形成されている請求項１に記載のプラズマディスプレイパネル。
【請求項１５】
前記放電経路延長部材の表面の少なくとも一部に真空紫外線によって励起されて２次電子を放出する２次電子放出層が形成されている請求項１に記載のプラズマディスプレイパネル。
【請求項１６】
前記列電極が、行電極対が形成されている一方の基板側に形成されて、放電経路延長部材が、列電極の一部を挟んで行電極間の放電ギャップに対向している請求項１に記載のプラズマディスプレイパネル。
【発明の詳細な説明】
【技術分野】
【０００１】
この発明は、面放電方式交流型プラズマディスプレイパネルのパネル構造に関する。
【背景技術】
【０００２】
近年、大型で薄型のカラー画面表示装置として面放電方式交流型プラズマディスプレイパネル（以下、ＰＤＰという）が注目を集めており、家庭への普及も拡大して来ている。
【０００３】
図１および２は、面放電方式交流型ＰＤＰのセル構造を示しており、図１はその正面図であり、図２は図１のＶ−Ｖ線における断面図である。
【０００４】
この図１および２において、表示面である前面ガラス基板１の背面に、複数の行電極対（Ｘ，Ｙ）が、前面ガラス基板１の行方向（図１の左右方向）に延びるように平行に配列されている。
【０００５】
行電極Ｘは、Ｔ字形状に形成されたＩＴＯ等の透明導電膜からなる透明電極Ｘａと、前面ガラス基板１の行方向に延びて透明電極Ｘａの狭小の基端部に接続された金属膜からなるバス電極Ｘｂとによって構成されている。
【０００６】
行電極Ｙも同様に、Ｔ字形状に形成されたＩＴＯ等の透明導電膜からなる透明電極Ｙａと、前面ガラス基板１の行方向に延びて透明電極Ｙａの狭小の基端部に接続された金属膜からなるバス電極Ｙｂとによって構成されている。
【０００７】
この行電極ＸとＹは、前面ガラス基板１の列方向（図１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【０００８】
前面ガラス基板１の背面には、さらに、行電極対（Ｘ，Ｙ）を被覆するように誘電体層２が形成されており、この誘電体層２の背面には、互いに隣接する行電極対（Ｘ，Ｙ）の背中合わせに隣り合うバス電極ＸｂおよびＹｂと対向する位置およびこの背中合わせに隣り合うバス電極Ｘｂとバス電極Ｙｂの間の領域と対向する位置に、誘電体層２の背面側に突出する嵩上げ誘電体層２Ａが、バス電極Ｘｂ，Ｙｂと平行に延びるように形成されている。
【０００９】
そして、この誘電体層２と嵩上げ誘電体層２Ａの背面側には、ＭｇＯからなる保護層３が形成されている。
【００１０】
一方、前面ガラス基板１と平行に配置された背面ガラス基板４の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００１１】
背面ガラス基板４の表示側の面上には、さらに、列電極Ｄを被覆する白色の列電極保護層５が形成され、この誘電体層５上に、隔壁６が形成されている。
【００１２】
隔壁６は、互いに平行に配列された各列電極Ｄの間の位置において列方向に延びる縦壁６ａと、嵩上げ誘電体層１１Ａに対向する位置において行方向に延びる横壁６ｂとによって梯子状に形成されている。
【００１３】
そして、この梯子状の隔壁６によって、前面ガラス基板１と背面ガラス基板４の間の空間が、各行電極対（Ｘ，Ｙ）において対となった透明電極ＸａとＹａに対向する部分毎に区画されて、それぞれ方形の放電セルＣが形成されている。
【００１４】
放電セルＣに面する隔壁６の縦壁６ａおよび横壁６ｂの側面と列電極保護層５の表面には、これらの五つの面を全て覆うように蛍光体層７が、それぞれ赤，緑，青の色が順に並ぶように形成されている。
【００１５】
そして、放電空間Ｓ内には、キセノンを含む放電ガスが封入されている。
【００１６】
このＰＤＰは、行電極Ｙと列電極Ｄとの間でアドレス放電を行って、パネル面に、入力される映像信号に対応して、誘電体層２に壁電荷が形成された放電セル（点灯セル）と壁電荷が形成されていない放電セル（消灯セル）とを分布させ、この後、点灯セルにおいて行電極ＸとＹの間で維持放電を行い、この維持放電によって放電ガス中のキセノンガスから放射される真空紫外線により、点灯セルのそれぞれ赤，緑，青に色分けされた蛍光体層７を励起して発光させることによって、マトリクス表示による表示画像の形成を行う。
【００１７】
このような構成のＰＤＰについては、一般的に、消費電力の低減化を図るとともに表示画像の高精細化に伴って高い発光効率が得られるようにすることが課題になっている。
【００１８】
ここで、ＰＤＰにおいて発光効率を増大させるためには、行電極対（Ｘ，Ｙ）の透明電極ＸａとＹａ間の放電ギャップｇの幅を広く開けて、この透明電極Ｘａ，Ｙａ間で行われる維持放電の放電経路が長くなるように設定する方法が知られている。
【００１９】
これによって、維持放電の際の放電経路が伸びることにより発光効率が上昇する。
【００２０】
しかしながら、この方法は、近年のＰＤＰの高精細化に伴って放電セルＣのセルピッチが限定されるために、放電ギャップｇの拡大には限界があり、さらに、放電ギャップｇを広くすると、維持放電の際の放電開始電圧が上昇してしまうという問題が発生してしまう。
【発明の開示】
【発明が解決しようとする課題】
【００２１】
この発明は、上記のような面放電方式交流型プラズマディスプレイパネルにおける低消費電力化と発光効率の向上の問題を同時に解決することを、その技術的課題の一つとしている。
【課題を解決するための手段】
【００２２】
第１の発明（請求項１に記載の発明）によるプラズマディスプレイパネルは、上記目的を達成するために、放電空間を挟んで一対の基板が対向され、一方の基板の内面側に行方向に延び列方向に並設されて放電ギャップを介して対向される行電極によって構成される複数の行電極対とこの行電極対を被覆する誘電体層が設けられ、他方の基板の内面側に蛍光体層が設けられ、何れかの基板の行電極対と離間した位置に列方向に延び行方向に並設されて行電極対と交差する部分の放電空間にそれぞれ単位発光領域を構成する複数の列電極が設けられ、一対の基板の間に放電空間を単位発光領域毎に区画する隔壁が設けられているプラズマディスプレイパネルにおいて、前記単位発光領域内の放電ギャップに対向するとともに誘電体層との間に所定の間隙を開けた位置に、放電経路延長部材が配置されていることを特徴としている。
【発明を実施するための最良の形態】
【００２３】
この発明の実施形態におけるプラズマディスプレイパネル（ＰＤＰ）は、放電空間を介して対向する一対の基板の一方の基板側に誘電体層によって被覆された行電極対が形成されて、放電空間の行電極対と列電極との交差部分に構成される放電セル（単位発光領域）内において放電ギャップを挟んで対向される行電極間で維持放電が発生されることによって表示画像の形成が行われるＰＤＰにおいて、放電セル内の行電極間の放電ギャップに対向する位置で行電極対を被覆する誘電体層から所定の間隙を挟んで離間した位置に、絶縁性の放電経路延長部材が配置されているものである。
【００２４】
この放電経路延長部材は、例えば、放電空間を放電セル毎に区画する隔壁の一部を構成する絶縁物が隔壁間を行方向に梁状に掛け渡されるように成形されることによって形成される。
【００２５】
この実施形態によるＰＤＰは、放電セル内において放電ギャップを挟んで互いに対向される行電極間で画像形成のための維持放電が発生される際に、放電セル内の放電ギャップに対向する位置に、行電極対を被覆している誘電体層から間隙を挟んで離間した状態で配置されている絶縁性の放電経路延長部材によって、維持放電の開始時に、先ず、誘電体層と放電経路延長部材の間の間隙を通ってトリガ放電が発生する。
【００２６】
そして、このトリガ放電の発生に続いて発生される維持放電は、その放電経路が、放電経路延長部材の存在によって、この放電経路延長部材の後ろ側を大きく迂回する状態で発生する。
【００２７】
従って、この実施形態によるＰＤＰによれば、維持放電の開始時のトリガ放電の発生によって、従来の構成のＰＤＰと比較して、維持放電開始時の放電開始電圧が大幅に低下する。
【００２８】
そして、維持放電が放電経路延長部材の後ろ側を大きく迂回するように発生することによって、維持放電の放電経路が従来の構造のＰＤＰと比較して長くなり、その結果、高効率な陽光柱放電が発生して、発光効率が大幅に上昇する。
【実施例１】
【００２９】
図３ないし７は、この発明による面放電方式交流型ＰＤＰの実施形態における第１実施例を示しており、図３はこの第１実施例におけるＰＤＰのパネル構造を模式的に示す正面図、図４は図３のＶ１−Ｖ１線における断面図、図５は図３のＶ２−Ｖ２線における断面図、図６は図３のＷ１−Ｗ１線における断面図、図７は図３のＷ２−Ｗ２線における断面図である。
【００３０】
この図３ないし７において、表示面である前面ガラス基板１０の背面に、複数の行電極対（Ｘ１，Ｙ１）が、前面ガラス基板１０の行方向（図３の左右方向）に延びるように平行に配列されている。
【００３１】
行電極Ｘ１は、Ｔ字形状に形成されたＩＴＯ等の透明導電膜からなる透明電極Ｘ１ａと、前面ガラス基板１０の行方向に延びて透明電極Ｘ１ａの狭小の基端部に接続された金属膜からなるバス電極Ｘ１ｂとによって構成されている。
【００３２】
行電極Ｙ１も同様に、Ｔ字形状に形成されたＩＴＯ等の透明導電膜からなる透明電極Ｙ１ａと、前面ガラス基板１０の行方向に延びて透明電極Ｙ１ａの狭小の基端部に接続された金属膜からなるバス電極Ｙ１ｂとによって構成されている。
【００３３】
この行電極Ｘ１とＹ１は、前面ガラス基板１０の列方向（図３の上下方向）に交互に配列されており、バス電極Ｘ１ｂとＹ１ｂに沿って並列されたそれぞれの透明電極Ｘ１ａとＹ１ａが、互いに対となる相手の行電極側に延びて、透明電極Ｘ１ａとＹ１ａの幅広部の頂辺が、それぞれ所要の幅の放電ギャップｇ１を介して互いに対向されている。
【００３４】
前面ガラス基板１０の背面には、さらに、行電極対（Ｘ１，Ｙ１）を被覆するように誘電体層１１が形成されており、この誘電体層１１の背面には、互いに隣接する行電極対（Ｘ１，Ｙ１）の背中合わせに隣り合うバス電極Ｘ１ｂおよびＹ１ｂと対向する位置および背中合わせに隣り合うバス電極Ｘ１ｂとバス電極Ｙ１ｂの間の領域と対向する位置に、誘電体層１１の背面側に突出する嵩上げ誘電体層１１Ａが、バス電極Ｘ１ｂ，Ｙ１ｂと平行に延びるように形成されている。
【００３５】
そして、この誘電体層１１と嵩上げ誘電体層１１Ａの背面側には、ＭｇＯからなる図示しない保護層が形成されている。
【００３６】
一方、前面ガラス基板１０と平行に配置された背面ガラス基板１２の表示側の面上には、列電極Ｄ１が、各行電極対（Ｘ１，Ｙ１）の互いに対となった透明電極Ｘ１ａおよびＹ１ａに対向する位置において行電極対（Ｘ１，Ｙ１）と直交する方向（列方向）に延びるように、互いに所定の間隔を開けて平行に配列されている。
【００３７】
背面ガラス基板１２の表示側の面上には、さらに、列電極Ｄ１を被覆する白色の列電極保護層１３が形成され、さらに、この列電極保護層１３上に後部隔壁１４が形成されている。
【００３８】
各後部隔壁１４は、それぞれバス電極Ｘ１ｂとＹ１ｂに対向する位置において行方向に延びる二本の後部横壁１４Ａと、この後部横壁１４Ａ間において互いに平行に並設された各列電極Ｄ１の間の部分に対向する位置を列方向に延びる多数の後部縦壁１４Ｂとによって、略梯子形状に成形されている。
【００３９】
そして、この略梯子形状の後部隔壁１４が、行方向に延びる隙間ｓ１を介して互いに平行に列方向に並設されており、この後部隔壁１４によって、前面ガラス基板１０と背面ガラス基板１２の間の放電空間Ｓ１が、各行電極対（Ｘ１，Ｙ１）において互い対になっている透明電極Ｘ１ａとＹ１ａに対向する部分毎に区画されて、それぞれ方形の放電セルＣ１が形成されている。
【００４０】
この各後部隔壁１４の前面ガラス基板１０側に対向する面上には、以下に詳述するような形状を有する前部隔壁１５が形成されている。
【００４１】
すなわち、この前部隔壁１５は、後部隔壁１４の二本の後部横壁１４Ａ上をそれぞれ行方向に延びる二本の前部横壁１５Ａと各後部縦壁１４Ｂ上をそれぞれ列方向に延びる多数の前部縦壁１５Ｂとによって、後部隔壁１４と同形の略梯子形状に成形されている。
【００４２】
そして、この前部隔壁１５には、二本の前部横壁１５Ａ間の中央位置においてこの前部横壁１５Ａと平行に行方向に延びるとともに行電極対（Ｘ１，Ｙ１）の互いに対になっている透明電極ＸａとＹａ間の放電ギャップｇ１に対向する位置に位置される梁１５Ｃが形成されている。
【００４３】
この前部隔壁１５は、セラミック基板やガラス基板，絶縁膜で表面が被覆された金属基板等の絶縁性基板をエッチングまたは切削等の方法によって上記形状に成形することによって形成される。
【００４４】
この前部隔壁１５の前部横壁１５Ａの前面ガラス基板１０側に対向する面は、嵩上げ誘電体層１１Ａの背面に当接されて、この前部横壁１５Ａおよび後部横壁１４Ａを介して列方向に隣接する放電セルＣ１と隙間ｓ１との間が閉じられている（図４および７参照）。
【００４５】
そして、上記のように前部隔壁１５の前部横壁１５Ａの前面ガラス基板１０側に対向する面が嵩上げ誘電体層１１Ａの背面に当接される結果、梁１５Ｃの前面ガラス基板１０側に対向する面は、誘電体層１１の背面から離間して、その間に、嵩上げ誘電体層１１Ａの高さと同じ幅の隙間ｍが形成されている。
【００４６】
後部隔壁１４によって区画された放電セルＣ１内には、それぞれ、後部隔壁１４の後部横壁１４Ａおよび後部縦壁１４Ｂの側面と列電極保護層１３の表面に、これらの五つの面を全て覆うように蛍光体層１６が、それぞれ赤，緑，青の色が行方向に順に並ぶように形成されている。
【００４７】
放電空間Ｓ１内には、キセノンを含む放電ガスが封入されている。
【００４８】
上記ＰＤＰは、行電極Ｙ１と列電極Ｄ１間においてアドレス放電が行われた後、放電セルＣ１のうちアドレス放電によって誘電体層１１に壁電荷が形成されている放電セルＣ１（点灯セル）において、行電極対（Ｘ１，Ｙ１）の互いに対になっている透明電極Ｘ１ａとＹ１ａ間で放電ギャップｇ１を介して発光のための維持放電が発生される。
【００４９】
ここで、上記ＰＤＰは、前部隔壁１５の梁１５Ｃが、放電セルＣ１内において放電ギャップｇ１に対向する位置に、誘電体層１１の背面と隙間ｍを開けて配置されていることによって、維持放電の開始時に、図４に示されるように、誘電体層１１と梁１５Ｃの間の隙間ｍを通ってトリガ放電ｄ１が発生する。
【００５０】
このトリガ放電ｄ１の発生によって、従来の構成のＰＤＰと比較して、維持放電開始時の放電開始電圧が低下する。
【００５１】
そして、このトリガ放電ｄ１の発生に続いて発生される維持放電ｄ２は、その放電経路上に前部隔壁１５の梁１５Ｃが存在しているために、図４から分かるように、この梁１５Ｃの背面側を大きく迂回する。
【００５２】
これによって、維持放電ｄ２の放電経路が従来の構造のＰＤＰと比較して長くなり、その結果、高効率な陽光柱放電が発生して、発光効率が大幅に上昇される。
【００５３】
さらに、上記ＰＤＰは、放電セルＣ１の前部部分（誘電体層１１に近接する部分）の周囲が前部隔壁１５の前部横壁１５Ａと前部縦壁１５Ｂに囲まれて仕切られることにより、放電の広がりが抑制されて、誤放電の発生が防止される。
【００５４】
なお、上記の実施例において、前部隔壁１５は、後部隔壁１４側または嵩上げ誘電体層１１Ａ側のどちら側に固定されるようにしても良いが、嵩上げ誘電体層１１Ａに固定するようにすることによって、位置合わせ精度を向上させることが出来る。
【００５５】
また、この前部隔壁１５を固定するための接着方法は特に限定されないが、例えば、嵩上げ誘電体層１１Ａに熱圧着したり、接着剤を用いる等の方法がある。
【実施例２】
【００５６】
図８および７は、この発明による面放電方式交流型ＰＤＰの実施形態における第２実施例を示しており、図８はこの第２実施例におけるＰＤＰのパネル構造を模式的に示す正面図、図９は図８のＶ３−Ｖ３線における断面図である。
【００５７】
なお、以下においては、第１実施例のＰＤＰと同じ構成部分については、第１実施例の場合と同一の符号を用いて説明を行う。
【００５８】
この第２実施例におけるＰＤＰは、前記第１実施例のＰＤＰの列電極Ｄ１が背面ガラス基板１２側に形成されていたのに対し、列電極Ｄ２が前面ガラス基板１０側に形成された構成を備えている。
【００５９】
すなわち、図８および９において、この前面ガラス基板１０の背面側に行電極対（Ｘ１，Ｙ１）が形成され、この行電極対（Ｘ１，Ｙ１）が第１誘電体層２１Ａによって被覆されている。
【００６０】
列電極Ｄ２は、この第１誘電体層２１Ａの背面側に形成されていて、後部隔壁１４上に形成された前部隔壁１５の前部縦壁１５Ｂに対向する位置において列方向に延びる列電極本体部Ｄ２ａと、この列電極本体部Ｄ２ａから対になっている透明電極Ｘ１ａとＹ１ａ間の放電ギャップｇ１に対向する位置に向かって延びる列電極突出部Ｄ２ｂとによって構成されている。
【００６１】
従って、図８から分かるように、ＰＤＰの前面側から見た場合に、前部隔壁１５の梁１５Ｃと列電極Ｄ２の列電極突出部Ｄ２ｂとが、列電極突出部Ｄ２ｂを前側にして、重なった位置に配置されている。
【００６２】
そして、第１誘電体層２１Ａの背面側に第２誘電体層２１Ｂが形成されて、列電極Ｄ２が被覆されており、さらに、この第２誘電体層２１Ｂの背面側の互いに隣接する行電極対（Ｘ１，Ｙ１）の背中合わせに隣り合うバス電極Ｘ１ｂおよびＹ１ｂと対向する位置および背中合わせに隣り合うバス電極Ｘ１ｂとバス電極Ｙ１ｂの間の領域と対向する位置に、第２誘電体層２１Ｂの背面側に突出する嵩上げ誘電体層２１Ｃが、バス電極Ｘ１ｂ，Ｙ１ｂと平行に延びるように形成されている。
【００６３】
前部隔壁１５は、第１実施例と同様に、前部横壁１５Ａおよび前部縦壁１５Ｂ，梁１５Ｃによって構成され、前部横壁１５Ａが嵩上げ誘電体層２１Ｃの背面に当接されて、この前部横壁１５Ａおよび後部隔壁１４の後部横壁１４Ａを介して列方向に隣接する放電セルＣ２と隙間ｓ１との間が閉じられている（図９参照）。
【００６４】
そして、この前部横壁１５Ａの前面ガラス基板１０側に対向する面が嵩上げ誘電体層２１Ｃの背面に当接される結果、梁１５Ｃの前面ガラス基板１０側に対向する面が第２誘電体層２１Ｂの背面から離間して、その間に、嵩上げ誘電体層２１Ｃの高さと同じ幅の隙間ｍ１が形成されている。
【００６５】
このＰＤＰの他の部分の構成は、背面ガラス基板１２側に列電極保護層が形成されていない他は、第１実施例と同様である。
【００６６】
この第２実施例のＰＤＰは、第１実施例と同様に、前部隔壁１５の梁１５Ｃが、放電セルＣ２内において放電ギャップｇ１に対向する位置に、第２誘電体層２１Ｂの背面と隙間ｍ１を開けて配置されていることによって、維持放電の開始時に、図９に示されるように、第２誘電体層２１Ｂと梁１５Ｃの間の隙間ｍ１を通ってトリガ放電ｄ３が発生する。
【００６７】
このトリガ放電ｄ３の発生によって、従来の構成のＰＤＰと比較して、維持放電開始時の放電開始電圧が低下する。
【００６８】
そして、このトリガ放電ｄ３の発生に続いて発生される維持放電ｄ４は、その放電経路上に前部隔壁１５の梁１５Ｃが存在しているために、図９から分かるように、この梁１５Ｃの背面側を大きく迂回する。
【００６９】
これによって、維持放電ｄ４の放電経路が従来の構造のＰＤＰと比較して長くなり、その結果、高効率な陽光柱放電が発生して、発光効率が大幅に上昇される。
【実施例３】
【００７０】
図１０は、この発明による面放電方式交流型ＰＤＰの実施形態における第３実施例を示す断面図である。
この図１０は、前述した第１実施例の図４と同一部分においてＰＤＰを断面して示している。
【００７１】
この図１０において、後部隔壁１４上に形成された前部隔壁２５は、後部隔壁１４の二本の後部横壁１４Ａ上をそれぞれ行方向に延びる二本の前部横壁２５Ａと各後部縦壁上をそれぞれ列方向に延びる多数の図示しない前部縦壁とによって、後部隔壁１４と同形の略梯子形状に成形されており、さらに、二本の前部横壁２５Ａ間の中央位置において前部横壁２５Ａと平行に行方向に延びるとともに行電極対（Ｘ１，Ｙ１）の互いに対になっている透明電極Ｘ１ａとＹ１ａ間の放電ギャップｇ１に対向する位置に位置される絶縁性の梁２５Ｃを備えている。
【００７２】
この前部隔壁２５の外形形状は、第１実施例の前部隔壁１５と同様である。
また、この実施例におけるＰＤＰの他の部分の構成は、前記第１実施例のＰＤＰと同様であり、同一の構成部分については同一の符号が付されている。
【００７３】
この前部隔壁２５の梁２５Ｃは、その基材２５Ｃａの前面ガラス基板１０に対向する側の面に、黒色または暗色の光吸収層２５Ｃｂが形成されている。
【００７４】
さらに、この梁２５Ｃは、その基材２５Ｃａの背面側と側面側に、白色の光反射層２５Ｃｃが形成されている。
【００７５】
この実施例においては、前面ガラス基板１０側から梁２５Ｃに入射する外光が、この梁２５Ｃの前面側に形成された光吸収層２５Ｃｂによって吸収されてその反射が防止されるので、表示画面のコントラストを高めることができる。
【００７６】
この光吸収層２５Ｃｂは、例えば黒色顔料を基材２５Ｃａ上に印刷したり、反射率の低い材料を減圧あるいは常圧ＣＶＤによって被膜したりする等の方法によって形成することが出来る。
また、梁２５Ｃ自体を、反射率の低い材料によって形成するようにしても良い。
【００７７】
さらに、この実施例においては、維持放電によって放電セルＣ１内に発生する光が放電セルＣ１の前部に位置する梁２５Ｃにぶつかった場合でも、この梁２５Ｃの背面または側面に形成された光反射層２５Ｃｃによって反射されることによって前面ガラス基板１０の表示面側に出射されるようになる。
【００７８】
これによって、放電によって発生する真空紫外線や蛍光体層１６からの可視光の利用効率が高められ、前部隔壁２５を設けたことによる輝度の低下を抑制することができる。
【００７９】
この光反射層２５Ｃｃは、例えば、白色顔料を基材２５Ｃａ上に印刷したり、反射率の高い材料を減圧または常圧ＣＶＤによって被膜したりする等の方法によって形成することが出来る。
また、光反射層２５Ｃｃ自体を、反射率の高い材料によって形成するようにしても良い。
【００８０】
なお、上記においては、光反射層２５Ｃｃを基材２５Ｃａの背面と側面の双方に形成した例が示されているが、基材２５Ｃａの背面と側面の何れか一方に形成するようにしても良い。
【実施例４】
【００８１】
図１１は、この発明による面放電方式交流型ＰＤＰの実施形態における第４実施例を示す断面図である。
【００８２】
この図１１は、前述した第１実施例の図４と同一部分においてＰＤＰを断面して示している。
【００８３】
この図１１において、後部隔壁１４上に形成された前部隔壁３５は、後部隔壁１４の二本の後部横壁１４Ａ上をそれぞれ行方向に延びる二本の前部横壁３５Ａと各後部縦壁上をそれぞれ列方向に延びる多数の図示しない前部縦壁とによって、後部隔壁１４と同形の略梯子形状に成形されており、さらに、二本の前部横壁３５Ａ間の中央位置において前部横壁３５Ａと平行に行方向に延びるとともに行電極対（Ｘ１，Ｙ１）の互いに対になっている透明電極Ｘ１ａとＹ１ａ間の放電ギャップｇ１に対向する位置に位置される絶縁性の梁３５Ｃを備えている。
【００８４】
この前部隔壁３５の外形形状は、第１実施例の前部隔壁１５と同様である。
また、この実施例におけるＰＤＰの他の部分の構成は、前記第１実施例のＰＤＰと同様であり、同一の構成部分については同一の符号が付されている。
【００８５】
この前部隔壁３５の梁３５Ｃは、その基材３５Ｃａの表面に、高γ材料または蛍光材料，紫外域発光材料（放電ガス中のキセノンガスから発生する真空紫外線によって励起されて紫外線を発生させるとともに所定の残光特性を備えているもの）によって被膜層３５Ｃｂが形成されている。
【００８６】
この被膜層３５Ｃｂが高γ材料によって形成された高γ材料層（２次電子放出層）である場合の高γ材料としては、例えば、ＭｇＯやＳｒＯ，ＢａＯ，ＣａＯ，ＣｓＩ，ダイヤモンド等の２次電子放出係数（γ）が高い材料が挙げられる。
【００８７】
そして、この高γ材料層の形成は、減圧または常圧ＣＶＤ，蒸着，印刷等の方法によって行われる。
【００８８】
このように、梁３５Ｃの基材３５Ｃａの表面に高γ材料層である被膜層３５Ｃｂが形成されることによって、リセット放電やアドレス放電時に被膜層３５Ｃｂから２次電子（プライミング粒子）が放出されることによって、次に発生される放電（アドレス放電や維持放電）時に十分なプライミング粒子量が確保されるので、放電遅れや誤放電の発生を防止することが出来るようになる。
【００８９】
また、被膜層３５Ｃｂが蛍光材料によって形成された蛍光体層である場合には、蛍光体層１６と合わせて、放電セルＣ１内における蛍光体の発光面積が増加され、これによって、表示画像の輝度を向上させることができる。
この蛍光体層の形成は、減圧または常圧ＣＶＣ法，印刷その他の方法によって行われる。
【００９０】
また、この被膜層３５Ｃｂが残光特性を有する紫外域発光材料によって形成された紫外域発光層である場合には、放電によって放電ガス中のキセノンガスから発生する真空紫外線により、この紫外域発光層が励起されてその残光特性により紫外線を発生させ続けることによって、表示画像の輝度を向上させることができる。
【００９１】
この紫外域発光層の形成は、減圧または常圧ＣＶＤ，蒸着，印刷等の方法によって行われる。
【実施例５】
【００９２】
図１２は、この発明による面放電方式交流型ＰＤＰの実施形態における第５実施例を示す断面図である。
【００９３】
この図１２は、前述した第１実施例の図４と同一部分においてＰＤＰを断面して示している。
【００９４】
この実施例におけるＰＤＰは、前面ガラス基板１０の背面側に形成された行電極対（Ｘ１，Ｙ１）を被覆する誘電体層４１の透明電極Ｘ１ａとＹ１ａ間の放電ギャップｇ１に対向する部分の厚さｔが、この誘電体層４１の他の部分の厚さよりも薄くなるように形成されていて、この誘電体層４１の背面側に、凹所４１ａが形成されている。
【００９５】
なお、この凹所４１ａは、行方向に沿って帯状に延びるように形成されていても良く、また、放電ギャップｇ１に対向する部分のみが島状に窪むように形成されていても良い。
【００９６】
後部隔壁１４上に形成されて第１実施例と同様の略梯子形状を備えている前部隔壁１５は、その二本の前部横壁１５Ａの前面ガラス基板１０に対向する面が、誘電体層４１の背面側に当接されている。
【００９７】
そして、この前部隔壁１５の二本の前部横壁１５Ａの間を行方向に平行に延びる梁１５Ｃが、透明電極Ｘ１ａとＹ１ａ間の放電ギャップｇ１に対向する位置に位置されており、このとき、誘電体層４１の梁１５Ｃが対向する部分に凹所４１ａが形成されていることによって、この誘電体層４１の背面の凹所４１ａが形成されている部分と梁１５Ｃとの間に隙間ｍ２が形成されている。
【００９８】
このＰＤＰの他の部分の構成は、前記第１実施例のＰＤＰと同様であり、同一の構成部分については同一の符号が付されている。
この実施例のＰＤＰによれば、第１実施例の嵩上げ誘電体層１１Ａのような嵩上げ誘電体層を誘電体層４１に形成しなくても、前部隔壁１５の前部横壁１５Ａが誘電体層４１の背面に当接されて列方向に隣接する放電セルＣ３と隙間ｓ２との間が閉じられている状態で、誘電体層４１と梁１５Ｃとの間に隙間ｍ２を形成することが出来る。
【００９９】
そして、この梁１５Ｃによって、維持放電の開始時に、凹所４１ａ内において誘電体層４１と梁１５Ｃの間の隙間ｍ２を通ってトリガ放電ｄ５が発生して、放電開始電圧が低下するとともに、このトリガ放電ｄ５の発生に続いて発生される維持放電ｄ６が、梁１５Ｃの背面側を大きく迂回することによって、その放電経路が長くなり、高効率な陽光柱放電の発生によって発光効率が上昇される。
【実施例６】
【０１００】
図１３は、この発明による面放電方式交流型ＰＤＰの実施形態における第６実施例を示す断面図である。
【０１０１】
この図１３は、前述した第１実施例の図４と同一部分においてＰＤＰを断面して示している。
【０１０２】
この実施例におけるＰＤＰは、前面ガラス基板１０の背面側に形成された行電極対（Ｘ１，Ｙ１）を被覆する誘電体層５１の背面が平面状に形成されていて、第１実施例の嵩上げ誘電体層１１Ａのような嵩上げ誘電体層は形成されていない。
【０１０３】
そして、後部隔壁１４上に、第１実施例と同様の略梯子状の平面形状を備えた前部隔壁５５が形成されている。
【０１０４】
この前部隔壁５５の二本の前部横壁５５Ａの間を行方向に平行に延びる梁５５Ｃは、その厚さａが、前部横壁５５Ａおよび図示されていない前部縦壁の厚さｂよりも小さくなるように形成されていて、この梁５５Ｃの前面ガラス基板１０に対向する側の面が、前部隔壁５５の他の部分の前面ガラス基板１０に対向する側の面よりも後退した位置（図１３において下側の位置）に位置されている。
【０１０５】
この前部隔壁５５は、その二本の前部横壁５５Ａの前面ガラス基板１０に対向する面が、誘電体層５１の背面側に当接されており、梁５５Ｃが、透明電極Ｘ１ａとＹ１ａ間の放電ギャップｇ１に対向する位置に位置されている。
【０１０６】
このとき、梁５５Ｃの前面ガラス基板１０に対向する側の面が、前部隔壁５５の他の部分の前面ガラス基板１０に対向する側の面よりも後退した位置に位置されていることによって、誘電体層５１の背面と梁１５Ｃとの間に隙間ｍ３が形成されている。
【０１０７】
このＰＤＰの他の部分の構成は、前記第１実施例のＰＤＰと同様であり、同一の構成部分については同一の符号が付されている。
この実施例のＰＤＰによれば、第１実施例の嵩上げ誘電体層１１Ａのような嵩上げ誘電体層を誘電体層５１に形成しなくても、前部隔壁５５の前部横壁５５Ａが誘電体層５１の背面に当接されて列方向に隣接する放電セルＣ４と隙間ｓ２との間が閉じられている状態で、誘電体層５１と梁５５Ｃとの間に隙間ｍ３を形成することが出来る。
【０１０８】
そして、この梁５５Ｃによって、維持放電の開始時に、誘電体層５１と梁５５Ｃの間の隙間ｍ３を通ってトリガ放電ｄ７が発生して、放電開始電圧が低下するとともに、このトリガ放電ｄ７の発生に続いて発生される維持放電ｄ８が、梁５５Ｃの背面側を大きく迂回することによって、その放電経路が長くなり、高効率な陽光柱放電の発生によって発光効率が上昇される。
【図面の簡単な説明】
【０１０９】
【図１】従来の構成を示す正面図である。
【図２】図１のＶ−Ｖ線における断面図である。
【図３】この発明の第１実施例を示す正面図である。
【図４】図３のＶ１−Ｖ１線における断面図である。
【図５】図３のＶ２−Ｖ２線における断面図である。
【図６】図３のＷ１−Ｗ１線における断面図である。
【図７】図３のＷ２−Ｗ２線における断面図である。
【図８】この発明の第２実施例を示す正面図である。
【図９】図８のＶ３−Ｖ３線における断面図である。
【図１０】この発明の第３実施例を示す正面図である。
【図１１】この発明の第４実施例を示す正面図である。
【図１２】この発明の第５実施例を示す正面図である。
【図１３】この発明の第６実施例を示す正面図である。
【符号の説明】
【０１１０】
１０                …前面ガラス基板（一方の基板）
１１，４１，５１    …誘電体層
１１Ａ              …嵩上げ誘電体層（嵩上げ部）
１２                …背面ガラス基板（他方の基板）
１３                …列電極保護層
１４                …後部隔壁（隔壁，第１隔壁）
１５，２５，３５，５５          …前部隔壁（隔壁，第２隔壁）
１５Ａ，２５Ａ，３５Ａ，５５Ａ  …前部横壁（横壁）
１５Ｂ              …前部縦壁（縦壁）
１５Ｃ              …梁（梁部材）
１６                …蛍光体層
２１Ａ              …第１誘電体層
２１Ｂ              …第２誘電体層
２１Ｃ              …嵩上げ誘電体層（嵩上げ部）
２５Ｃ              …梁（梁部材）
２５Ｃａ            …基材
２５Ｃｂ            …光吸収層
２５Ｃｃ            …光反射層
３５Ｃ              …梁（梁部材）
３５Ｃａ            …基材
３５Ｃｂ            …被膜層（蛍光体層，紫外域発光層，２次電子放出層）
４１ａ              …凹所
５５Ｃ              …梁（梁部材）
Ｘ１，Ｙ１          …行電極
Ｘ１ａ，Ｙ１ａ      …透明電極
Ｘ１ｂ，Ｙ１ｂ      …バス電極
Ｄ１，Ｄ２          …列電極
Ｄ２ａ              …列電極本体部
Ｄ２ｂ              …列電極突出部（列電極の一部）
Ｓ１                …放電空間
Ｃ１，Ｃ２，Ｃ３，Ｃ４  …放電セル（単位発光領域）
ｇ１                    …放電ギャップ
ｍ，ｍ１，ｍ２，ｍ３    …隙間（間隙）
ｄ１，ｄ３，ｄ５，ｄ７  …トリガ放電
ｄ２，ｄ４，ｄ６，ｄ８  …維持放電
【図１】
2005108791.tif 000003
【図２】
2005108791.tif 000004
【図３】
2005108791.tif 000005
【図４】
2005108791.tif 000006
【図５】
2005108791.tif 000007
【図６】
2005108791.tif 000008
【図７】
2005108791.tif 000009
【図８】
2005108791.tif 000010
【図９】
2005108791.tif 000011
【図１０】
2005108791.tif 000012
【図１１】
2005108791.tif 000013
【図１２】
2005108791.tif 000014
【図１３】
2005108791.tif 000015